(57)【要約】【課題】  小物を吊下げる場合には数多く吊下げられるとともに、サイズの異なるものを吊下げる場合には余分なピンチが邪魔にならないようにし、さらにハンガーの重量バランスをも補正可能にしたピンチ付きハンガーを提供できるようにする。【解決手段】  中央上部に吊持手段が形成された角枠状のフレームと、該フレームの対辺間に配設された桟材と、前記フレームと桟材の各下面部分に設けられた複数のピンチとを備え、桟材の両端部をフレームの対辺に着脱および／または摺動可能にした。【選択図】図５
2006087779.tif 000002
【特許請求の範囲】
【請求項１】
中央上部に吊持手段が形成された角枠状のフレームと、該フレームの対辺間に配設された桟材と、前記フレームと桟材の各下面部分に設けられた複数のピンチとを備え、桟材の両端部をフレームの対辺に着脱および／または摺動可能にしたことを特徴とするピンチ付きハンガー。
【請求項２】
両端部分が対辺に連結されたアーチ部材の頂部にフックを回動可能に設けて吊持手段を形成したことを特徴とする請求項１に記載のピンチ付きハンガー
【請求項３】
吊持手段が配設されるフレームの中間部分若しくはその近傍に、フレームを二つ折れ可能にする回動枢支部を設けたことを特徴とする請求項１に記載のピンチ付きハンガー。
【請求項４】
角枠状のフレームの四隅近傍部分と吊持手段とを索条部材でしたことを特徴とする請求項１に記載のピンチ付きハンガー。
【発明の詳細な説明】
【技術分野】
【０００１】
本発明は、洗濯された衣類やハンカチ等の小物を干したりするときに使用するピンチ付きハンガーに関するものである。
【背景技術】
【０００２】
一般にこの種のピンチ付きハンガーは、円形若しくは角形の枠状フレームの中央上部に吊持用フック（吊持手段２）が配設され、フレームの下面には複数のピンチを略均等に配置した形状となっている。
ところが、上記枠状のフレームの下面にピンチを設ける場合、そのピンチの数が限られてしまう。
【０００３】
そこでピンチの数を増やそうとすると、枠状フレームを大きくすることが考えられるが、フレームを大きくした場合にはその中側が大きい無駄な空間となる。
この大きな空間を利用するためと補強を兼ねたＶ形の梁や、対辺間の対辺間に設けた状態で桟をフレームに一体成型し、これら梁や桟部分の下面にもピンチを設けるようにしたものがある。
【特許文献１】特開平９−３２７５９５号公報
【特許文献２】特開２０００‐４２２９３
【発明の開示】
【発明が解決しようとする課題】
【０００４】
ところが上記各公報に記載されたピンチつきハンガーでは、靴下やハンカチのような比較的大きさの揃った小物だけを吊下げる場合は数多くのピンチを有効に使用することができるが、タオル等のサイズが大きなものを干す場合、使用しないピンチが干したものに触れたり、干す時に邪魔になってしまったりしてしまうという問題があった。
また、吊持用フックがフレームの中央上方に位置していることから、左右の重量バランスが崩れると、ハンガーが傾いた状態になり、挟持用フックが例えば物干し竿から外れやすくなるという問題もあった。
本発明は上記問題点に鑑み提案されたもので、小物を吊下げる場合には数多く吊下げられるとともに、サイズの異なるものを吊下げる場合には余分なピンチが邪魔にならないようにし、さらにハンガーの重量バランスをも補正可能にしたピンチ付きハンガーを提供できるようにすることを目的とするものである。
【課題を解決するための手段】
【０００５】
上記問題点を解決するために、本発明にかかるピンチ付きハンガーは、中央上部に吊持手段が形成された角枠状のフレームと、該フレームの対辺間に配設された桟材と、前記フレームと桟材の各下面部分に設けられた複数のピンチとを備え、桟材の両端部をフレームの対辺に着脱および／または摺動可能にしたことを最も主要な特徴とするものである。
【０００６】
また、本発明にかかるピンチ付きハンガーでは、両端部分が対辺に連結されたアーチ部材の頂部にフックを回動可能に設けて吊持手段を形成したことや、吊持手段が配設されるフレームの中間部分若しくはその近傍に、フレームを二つ折れ可能にする回動枢支部を設けたこと、更に、角枠状のフレームの四隅近傍部分と吊持手段とを索条部材でしたことも特徴とするものである。
【発明の効果】
【０００７】
本発明では、中央上部に吊持手段が形成された角枠状のフレームの対辺間に桟材を配設し、このフレームと桟材の各下面部分に設けられた複数のピンチを備えるとともに、桟材の両端部をフレームの対辺に着脱および／または摺動可能にしてあるので、多くの小物を吊下げるときには、ピンチを備えた桟材のフレームへの取り付け本数を多くすることによりピンチの数を増やして数多くの小物を吊下することができる。
また、サイズの異なるものを吊下げる場合には、不要なピンチの桟材を取り外すか、桟材の両端部を、フレームの対辺を摺動させて、ピンチを移動させることにより、使用しないピンチが干したものに触れたり、干すのに邪魔になってしまったりしてしまうのを防止することができる利点がある。
【０００８】
加えて、サイズの異なるものを吊下げる場合には、先ず大きなサイズのものを先に吊下し、次に空いたスペースにピンチを設けた桟材を取り付けて小物を吊持することにより、ハンガーのスペースの有効利用を図ることができる利点もある。
さらに、桟材はフレームに着脱／およびまたは摺動可能にしてあるので、ピンチに挟持させたものの重量によりハンガーのバランスが崩れた時、桟材を着脱ないしは摺動させることにより、その重量がランスを調整することができる。これにより、ハンガーのバランスを保つことができ、挟持用フックが揺れた時、物干し竿から外れやすくなるという問題をなくすことができる利点もある。
【０００９】
さらに、両端部分が対辺に連結されたアーチ部材の頂部にフックを回動可能に設けて吊持手段を形成したものでは、上記効果に加えて、吊持手段でハンガーを物干し竿等に吊持させた状態でフレームを回転させながらピンチに洗濯物等を挟持させることができるので、その作業が楽で簡単に行えるとともに、風等でもフレームが回転するので、湿気の滞留がなく乾燥も速く行える利点もある。
【００１０】
また、吊持手段が配設されるフレームの中間部分若しくはその近傍に、フレームを二つ折れ可能にすることにより、使用時には大きなフレームでもフレームを折り畳むことにより、不使用時にはコンパクトにして小スペースに収納することができる利点もある。
【発明を実施するための最良の形態】
【００１１】
以下、本発明にかかるピンチ付きハンガーの好ましい実施の形態を図面に基づいて説明する。
図１はピンチ付きハンガーの正面図、図２は側面図、図３はピンチを省略して示す平面図であって、図中符号１はピンチ付きハンガーを全体的に示す。
このピンチ付きハンガー１は、中央上部に吊持手段２が形成された長方形の角枠状のフレーム３と、該フレーム３の対辺間に配設された桟材４と、前記フレーム３と桟材４の各下面部分に設けられた複数のピンチ５とを備えてなる。
上記吊持手段２は、両端部分が後述する角枠状のフレーム部分３ａ・３ｂに連結されるフック連結部６から立ち上げられた合成樹脂製のアーチ部材７と、このアーチ部材７の頂部に回動機構部８を介して連結されたフック９とからなる。
【００１２】
回動機構部８は、図４に示すようにアーチ部材７の頂部に一体形成されたケーシング１０にテーパ孔１１を形成するとともに、このテーパ孔１１の最小径よりも大きく形成された掛止部１３ａを有するフック９に連結された回動部材１２の下端部の嵌合片１３を嵌めごろ殺し状に嵌合させることにより、テーパ孔１１の最小径部分と嵌合片１３との間で回動部材１２が回動し、フック９が回動するようになっている。
このように、両端部分がフレーム部分３ａ・３ｂの各対辺に連結されたアーチ部材７の頂部にフック９を回動可能に設けると、フック９を物干し竿等に吊持させた状態（図示せず）でフレーム３を回転させながらピンチ５に洗濯物等を挟持させることができる。
そして、ピンチ５に挟持させた洗濯物が風等を受けるとフレーム３が回転機構部８で回転するので、周囲に湿気の滞留をなくし、乾燥も速く行える。
尚、このアーチ部材７の下方には両フック連結部６・６にわたって直線状の梁部材１４が設けてあり、この梁部材１４とアーチ部材７とでトラス状の補強部１５が形成される。
また、アーチ部材７の頂部に設けられた回動機構部８と角枠状のフレーム３の四隅の近傍部分とは鎖等の索条部材１６で連結されている（図１乃至図３参照）。
【００１３】
上記角枠状のフレーム３はアルミニウム製丸パイプで平面視において、全体形状が長方形に形成され、その長辺の中間位置に吊持手段２のフック連結部材部６が配設されている。
フレーム３を形成するアルミニウム製丸パイプの下面部分には図５に示すようにピンチ吊持部材１８が下方に向けて一体に突出されている。
図５に示すようにピンチ吊持部材１８には等間隔置きに縦長の吊持用孔１９が形成されており、この吊持用孔１９にピンチ５のスプリング２０部分から延出されたチェーンからなる吊下げ部材２１の上端部分が連結されることにより、複数のピンチ５がフレームの３下方に吊下された状態になる。
因みに、ピンチ５は一対のピンチ片５ａ・５ｂを向かい合わせにし、予め吊下げ部材２１の下端を連結したＣ形のスプリング２０を両ピンチ片５ａ・５ｂにわたって嵌着してなる周知構造のものである。
【００１４】
上記フック連結部６は、図１・図２に示すように左右のフレーム部分３ａ・３ｂの端部に嵌着された回動部分２２と、この回動部分２２を貫通する枢支軸２３を固定した枢支部分２４とで構成されており、図４に示すように、当該枢支部分２４で左右のフレーム部分３ａ・３ｂをその左右端部を上方に跳ね上げて折り畳んだときにフック９の上端が内方に収まる大きさにフック部分３ａ・３ｂを形成してある。
フレーム３の対辺間に配設される上記桟材４は、図５に示すように上記フレーム３と同様、アルミニウム製丸パイプで直線状の本体部分２５が形成され、本体部分２５の下端にはピンチ吊持部材２８が一体形成されている。
【００１５】
上記ピンチ吊持部材２８には吊持用孔２７が形成され、この吊持用孔２７にピンチのスプリング２０部分から延出されたチェーンからなる吊下げ部材２１の上端部分が連結されて、複数のピンチ５が桟材４の下方に吊下されている。
そして、本体部分２５の両端部には有底筒状に形成された支持部材２９が嵌着され、支持部材底部から突出するブラケッ３０トを介してフレーム３の対辺に嵌合する嵌合部３１が設けられている。
この嵌合部３１は、弾性を有する合成樹脂で開口部分が下向きの略Ｃ形に形成され、この嵌合部３１がフレーム３の対辺部分に嵌合・離脱することにより、桟材４がフレーム３に着脱乃至摺動してその位置を変更可能になっている。
【００１６】
上記のように構成されたピンチ付きハンガー１は、数多くの洗濯小物を干す場合、複数の桟材４を略等間隔に、左右のフレーム部分３ａ・３ｂに取り付ける。
この取り付けは、フレーム部分３ａ・３ｂの上方に位置させた嵌合部３１を押し下げて押し込み、嵌合させるだけの簡単な操作で行うことができる。
斯くして複数の桟材４が取り付けられると、洗濯小物は、フレーム３と桟材４の各下面に吊り下げられた数多くのピンチ５に挟んで干すことができる。
サイズの異なる洗濯物を干す場合、ピンチ５にはサイズの大きなものを先に挟持させる。
この洗濯物をピンチ５に挟持させる場合、フック９を例えば物干し竿に掛けた状態にし、作業者は一箇所にいながら回転機構部８でフレームを回転させながら行うことができる。
【００１７】
次に、フレーム３の空いたスペース部分に桟材４を取付け、この桟材４のピンチ５に小物を吊下させることにより、フレーム３の空いたスペースを可及的に有効利用することができる。
上記のようにして洗濯物等をハンガー１のピンチに挟持させて吊持させたとき、左右の重量バランスが必ずしもつりあうとは限らず、ハンガー１のフレーム３が左右のいずれかに傾いてしまう。
フレーム３（ハンガー１）が傾いてしまう場合、下がっている側の桟材４を中央側、即ちフック９側に移動させるか、上がっている側の桟材４を当該フレーム３の端側、即ちフック９から離れる側に移動させて、左右のバランスを調整する。
こうしてフレーム３（ハンガー１）の左右のバランスが調整されると、ハンガー１が風などで揺れたりしたときでも、吊持手段２のフック９が物干し竿から外れたりするのを防止したり、左右のバランスの崩れによるフレーム３や吊持手段２の変形を防止することができる。
【００１８】
本例のように、両端部分がフレーム３の対辺に連結されたアーチ部材７の頂部に吊持手段２でフレーム３を回動可能に設けたものでは、風でフレーム３が回転するとピンチ５に挟持させた洗濯物は回転され、周囲に湿気の滞留がなく均一に早く乾燥する。
しかして乾燥した洗濯物が取入れられたピンチ付きハンガー１は、フック９部分がフレーム部分３ａ・３ｂの内方に位置するように枢支部分２４で二つ折りにし、コンパクトにして収納される。
尚、上記の実施の形態では、吊持手段２のフック９を図上鈎形にしてあるが、こうしたものに限られず、レバー操作により開閉する形式のものであってもよいことは勿論であり、回動機構部８は図示した構造に限られないことは言うまでもなくまた、アーチ部材７の頂部に設けられた回動機構部８と角枠状のフレーム３の四隅の近傍部分とを連結する索条部材１６は鎖等の他に紐やロープにすることができるのは言うまでもないことである。
また、図示は省略したが、アーチ部材７と平行に取付けられた桟材４とフレーム３とにわたって別の桟材４を取付けることにより、桟材４同士を「Ｔ」字状に取り付けて使用することもできる。
【図面の簡単な説明】
【００１９】
【図１】はピンチ付きハンガーの正面図である。
【図２】はピンチ付きハンガーの側面図である。
【図３】はピンチを省略して示すピンチ付きハンガーの平面図である。
【図４】はピンチを省略して示すピンチ付きハンガーの折り畳んだ側面図である。
【図５】はピンチ付きハンガーにおける桟材部分の斜視図である。
【符号の説明】
【００２０】
１・・・ピンチ付きハンガー
２・・・吊持手段
３・・・フレーム
４・・・桟材
５・・・ピンチ
７・・・アーチ部材
１６・・・索条部材
【図１】
2006087779.tif 000003
【図２】
2006087779.tif 000004
【図３】
2006087779.tif 000005
【図４】
2006087779.tif 000006
【図５】
2006087779.tif 000007